(57)【要約】【課題】支柱を天井に固定する間仕切装置における支柱固定構造において、支柱の天井への固定強度を十分に取ることができ、美観を損ねることがないようにする。【解決手段】支柱固定具２８の板状部２４を天井面Ｒに締結具５０によって固定し、支柱１０の間仕切りパネル取付凹溝１２、１４に上下移動可能に嵌合した支柱固定具２８の差し込み片３０、３２を間仕切りパネル取付凹溝底部において締結具５２、５４によって支柱１０に固定し、間仕切りパネル取付凹溝１２、１４にカバー部材６０、６２を嵌め込み装着し、カバー部材６０、６２によって差し込み片３０、３２と締結具５２、５４の配置部分を隠蔽する。【選択図】図３
2010106587.tif 000002
【特許請求の範囲】
【請求項１】
室内空間を仕切る間仕切り装置の支柱を、支柱固定具を用いて天井に固定する間仕切装置における支柱固定構造であって、
前記支柱の外側面に上下方向に延在する間仕切りパネル取付凹溝が形成され、前記支柱固定具は、天井面に締結具によって固定される板状部と、前記板状部と一体的に設けられ、前記支柱の上端部分において前記間仕切りパネル取付凹溝に上下移動可能、かつ側方移動不能として嵌合する接続部とを有し、かつ前記間仕切りパネル取付凹溝に、前記接続部および締結具の配置部分を隠蔽するカバー部材を装着したことを特徴とする間仕切装置における支柱固定構造。
【請求項２】
室内空間を仕切る間仕切り装置における支柱を、支柱固定具を用いて天井に固定する間仕切装置における支柱固定構造であって、
前記支柱に上下方向に延在する中空部が形成されていると共に、当該支柱の外側面に、立設状態で上下方向に延在する間仕切りパネル取付凹溝が形成され、前記支柱固定具は、天井面に締結具によって固定される板状部と、前記板状部と一体的に設けられ、前記支柱の上端部分において前記中空部に上下移動可能、かつ側方移動不能として嵌合する接続部とを有し、かつ前記間仕切りパネル取付凹溝に、前記締結具の配置部分を隠蔽するカバー部材を装着したことを特徴とする間仕切装置における支柱固定構造。
【請求項３】
支柱固定具の接続部と支柱とを、前記接続部と間仕切りパネル取付凹溝の底部とを貫通する締結具によって固定した請求項１または２に記載の間仕切装置における支柱固定構造。
【請求項４】
支柱固定具の板状部は、水平投影面で見て支柱の上端面の外郭より外方にはみ出さない大きさに設定されている請求項１〜３のいずれかに記載の間仕切装置における支柱固定構造。
【発明の詳細な説明】
【技術分野】
【０００１】
本発明は、間仕切り装置における支柱固定構造に係わり、特に、支柱を建物の天井に固定する支柱固定構造に関する。
【背景技術】
【０００２】
オフィス等の室内空間を仕切る間仕切り装置には、間仕切り用のパネルの左右縁部を接続されて当該パネルを支持する支柱として、床面より天井面に至り、上端を天井に固定される支柱を用いるものがある。
【０００３】
この種の支柱を天井に固定する固定構造としては、支柱の上端に上下動可能に設けられた上部閉塞部材（受け金具）を調整ねじによってジャッキアップし、上部閉塞部材の上面を天井面に押し付けて押圧式に支柱を天井に固定するもの（例えば、特許文献１）や、笠木と云われる凹溝形の天井レールを天井面に沿って配置し、支柱の上端に開口した中空部にＴ形の固定金具の挿入杆部を嵌挿し、固定金具の取付片部を天井レールの溝底面にビスによってねじ止めしたもの（例えば、特許文献２）が知られている。
【特許文献１】実開昭５４−２３９２５号公報
【特許文献２】特開２００１−３２４１６号公報
【発明の開示】
【発明が解決しようとする課題】
【０００４】
押圧式の支柱固定構造は、天井への支柱の固定強度を十分にすることが難しく、天井への支柱の固定が不十分になりがちである。
【０００５】
Ｔ形の固定金具を用いた支柱固定構造は、固定金具の取付片部やビスを笠木の凹溝内に配置し、笠木によって固定金具の取付片部やビスが施工後に外部より見えないようにしており、笠木を用いたものを前提としている。このため、Ｔ形の固定金具を用いた支柱固定構造は、美観上、笠木を用いないものに適用できない。
【０００６】
また、Ｔ形の固定金具を用いた支柱固定構造は、固定金具の天井への固定強度を十分に取ることができるが、固定金具の挿入杆部を支柱の中空部に嵌挿しただけであると、挿入杆に対する支柱のぐらつきを解消することが難しい。ぐらつき解消のために、固定金具の挿入杆部と支柱の中空部との嵌合をきついものにすると、組み付け作業性、施工作業性が悪くなる。
【０００７】
本発明が解決しようとする課題は、支柱を天井に簡単に固定することができるとともに、支柱の天井への固定強度を十分に取ることができ、笠木を用いないものにも、美観を損ねることなく適用できるようにすることである。
【課題を解決するための手段】
【０００８】
本発明によると、上記課題は、次のようにして解決される。
（１）室内空間を仕切る間仕切り装置の支柱を、支柱固定具を用いて天井に固定する間仕切装置における支柱固定構造であって、前記支柱の外側面に上下方向に延在する間仕切りパネル取付凹溝が形成され、前記支柱固定具は、天井面に締結具によって固定される板状部と、前記板状部と一体的に設けられ、前記支柱の上端部分において前記間仕切りパネル取付凹溝に上下移動可能に嵌合する接続部とを有し、かつ前記間仕切りパネル取付凹溝に、前記接続部および締結具の配置部分を隠蔽するカバー部材を装着する。
【０００９】
（２）室内空間を仕切る間仕切り装置における支柱を、支柱固定具を用いて天井に固定する間仕切装置における支柱固定構造であって、前記支柱に上下方向に延在する中空部が形成されていると共に、当該支柱の外側面に、立設状態で上下方向に延在する間仕切りパネル取付凹溝が形成され、前記支柱固定具は、天井面に締結具によって固定される板状部と、前記板状部と一体的に設けられ、前記支柱の上端部分において前記中空部に上下移動可能に嵌合する接続部とを有し、かつ前記間仕切りパネル取付凹溝に、前記締結具の配置部分を隠蔽するカバー部材を装着する。
【００１０】
（３）上記（１）または（２）項において、支柱固定具の接続部と支柱とを、前記接続部と間仕切りパネル取付凹溝の底部とを貫通する締結具によって固定する。
【００１１】
（４）上記（１）〜（３）項のいずれかにおいて、支柱固定具の板状部を、水平投影面で見て前記支柱の上端面の外郭より外方にはみ出さない大きさに設定する。
【発明の効果】
【００１２】
本発明の間仕切装置における支柱固定構造によれば、支柱の上端から支柱固定具を上方に移動させて、その板状部を天井面に当接させ、その状態で板状部を締結具によって天井面に固定するだけで、支柱の上端を簡単に取付けることができる。
また、間仕切用パネル凹溝内にある支柱固定具の接続部は、間仕切用パネル凹溝に装着されたカバー部材によって隠蔽されるから、美観を損ねることがない。
【００１３】
支柱固定具の接続部を締結具によって支柱に固定すると、支柱の天井への固定強度を十分に取ることができる。
【００１４】
支柱固定具の接続部と支柱とを固定するための締結具として、セルフタッピングねじを用いると、支柱固定具の接続部を支柱の間仕切りパネル取付凹溝あるいは中空部に上下移動可能に嵌合させた状態で、支柱固定具の板状部を締結具によって天井面に固定し、支柱固定具と支柱との相対的な上下方向位置関係が決まった後に、その上下方向位置関係に規制されることなく、支柱固定具の接続部と支柱とを任意の上下方向位置関係でねじ止めすることができる。
【００１５】
また、支柱固定具の板状部が、水平投影面で見て支柱の上端面の外郭より外方にはみ出さない大きさに設定されていることにより、支柱固定具の板状部や、板状部を天井面に固定する締結具が、支柱によって見え難くなる、或いは見えなくなる。
【発明を実施するための最良の形態】
【００１６】
以下に、本発明による間仕切り装置における支柱固定構造の実施形態を、図１〜図７を参照して説明する。
【００１７】
図１は、本実施形態による支柱固定構造を適用された間仕切り装置を示している。支柱１０、１００は、鉛直に床面Ｆより天井面Ｒに至り、下端を床に、上端を天井に各々固定されている。所定の間隔をおいて隣接する支柱１０、１００間には、床面Ｆに沿った水平な下部横フレーム２００と、床面Ｆと天井面Ｒとの中間で、天井面Ｒに近い位置において水平に延在する中間横フレーム２１０とが設けられている。下部横フレーム２００、中間横フレーム２１０は、端部を支柱１０、１００に固定されている。支柱１０、１００、下部横フレーム２００、中間横フレーム２１０により画定された矩形枠には、板ガラス、ハニカム構造ボード等による間仕切り用のパネル２２０が嵌め込み装着されている。
【００１８】
この間仕切り装置では、支柱１０、１００のうち、中間横フレーム２１０より天井面Ｒの部分Ａは、支柱１０、１００だけが独立して存在する単独柱になっている。
【００１９】
支柱１０は、アルミニウム合金製で、図２〜図４に示すように、二面接続用のものであって、左右両外側面に、立設状態で上下方向に延在する間仕切りパネル取付凹溝１２、１４を左右対称に有し、横断面形状（水平断面形状）が横転Ｈ形（エ形）の長尺構造体をなしている。
【００２０】
支柱１０の間仕切りパネル取付凹溝１２、１４のうち、下部横フレーム２００と中間横フレーム２１０との間に位置する部分には、図４に示すように、パネル保持具２３０、２３２と嵌込桟部材２３４、２３６とが嵌め込み装着されている。パネル保持具２３０、２３２と嵌込桟部材２３４、２３６は、パネル２２０の左右縁部を挟み込み保持している。このようにして、支柱１０は、下部横フレーム２００と中間横フレーム２１０との間において、パネル２２０の左右縁部を接続され、パネル２２０を支持している。
【００２１】
支柱１０を天井に固定する固定構造２０を、図２、図３を参照して説明する。固定構造２０は、支柱固定具２２を用いて支柱１０の上端部を天井面Ｒに固定する。支柱固定具２２は、円盤板状部材２４と、接続部材２８とにより構成されている。本実施形態では、支柱固定具２２は、全体が金属製で、円盤板状部材２４と接続部材２８とを溶接によって一体化して構成されているが、全体をプラスチックの成形品としてもよい。
【００２２】
円盤板状部材２４には、複数個、本実施形態では９０度等間隔で４個のビス通し孔２６が貫通形成されている。円盤板状部材２４は、その上面が天井面Ｒに接合する状態で、ビス通し孔２６に通されたビス５０によって天井面Ｒにねじ止め固定されている。円盤板状部材２４の外径は支柱１０の前後方向の外寸（図３で見て上下方向の寸法）と等しい。
【００２３】
接続部材２８は、帯板材を横転コの字形（門形）に折曲形成したものであり、左右１対の差し込み片３０、３２と、差し込み片３０、３２の上端同士を互いに接続する上片部３４とを有し、上片部３４の上面を円盤板状部材２４の下面に接合させた状態で、溶接等によって円盤板状部材２４の中央部に固定されている。差し込み片３０、３２には、各々の上下２箇所にビス通し孔３６、３８が貫通形成されている。
【００２４】
接続部材２８は、支柱１０の上端部に、左右の間仕切りパネル取付凹溝１２、１４間の部分を左右に跨ぐように組み付けられ、差し込み片３０、３２が、各々、間仕切りパネル取付凹溝１２、１４に上下移動可能、かつ側方移動不能として嵌合している。差し込み片３０、３２の互いの対向間隔は、間仕切りパネル取付凹溝１２、１４の互いの底部間の間隔と概ね等しい。これにより、差し込み片３０、３２の互いの対向面は、間仕切りパネル取付凹溝１２、１４の底面に摺接する。
【００２５】
間仕切りパネル取付凹溝１２、１４の各々の溝側壁には突条１２Ａ、１４Ａが一体形成されている。突条１２Ａ、１４Ａは、間仕切りパネル取付凹溝１２、１４の差し込み片挿入部分の幅方向寸法（図３で見て上下方向の寸法）を差し込み片３０、３２の幅方向寸法に合わせ、間仕切りパネル取付凹溝１２、１４に差し込まれた突条１２Ａ、１４Ａが、前後方向（図３で見て上下方向）にがた付かないようにしている。
【００２６】
接続部材２８は、差し込み片３０、３２のビス通し孔３６、３８に通されたセルフタッピングねじ５２、５４によって間仕切りパネル取付凹溝１２、１４の底部１６、１８にねじ止め固定されている。ビス通し孔３６、３８に通されたセルフタッピングねじ５２、５４は、セルフタッピング作用によって間仕切りパネル取付凹溝１２、１４の底部１６、１８を、ねじ溝を刻みながら貫通するから、底部１６、１８には下孔を設ける必要はない。
【００２７】
このように、円盤板状部材２４を天井面Ｒにねじ止めされ、接続部材２８を支柱１０にねじ止めされた支柱固定具２２によって支柱１０の上端部を天井に固定するので、支柱１０の天井への固定強度を十分に高いものにすることができる。
【００２８】
間仕切りパネル取付凹溝１２、１４のうち、パネル２２０の接続がなく、支柱１０だけが独立して存在する単独柱部分Ａに対応する部分には、カバー部材６０、６２が嵌め込み装着されている。カバー部材６０、６２は、支柱１０と同じアルミニウム合金製あるいはプラスチック製のものであり、間仕切りパネル取付凹溝１２、１４を塞ぐコの字形の横断面をしており、間仕切りパネル取付凹溝１２、１４の溝側壁に対応する脚部外面に突条６０Ａ、６２Ａを有し、突条６０Ａ、６２Ａが間仕切りパネル取付凹溝１２、１４の各々の溝側壁に形成された係合溝１２Ｂ、１４Ｂに嵌り込むことにより、クリックストップ式に支柱１０に固定されている。
【００２９】
カバー部材６０、６２は、上述の如く支柱１０に取り付けられて間仕切りパネル取付凹溝１２、１４を支柱１０の外面と面一に埋め、支柱１０の単独柱部分Ａの間仕切りパネル取付凹溝１２、１４を外部より見えないものとしている。これにより、間仕切りパネル取付凹溝１２、１４に嵌っている支柱固定具２２の差し込み片３０、３２およびセルフタッピングねじ５２、５４の頭部は、カバー部材６０、６２によって隠蔽され、外部より見えないものなっている。
【００３０】
次に、支柱１０の施工手順について説明する。先ず、支柱１０の上端部に、支柱固定具２２を、当該の接続部材２８が、左右の間仕切りパネル取付凹溝１２、１４間の部分を左右に跨ぐように組み付ける。これにより、接続部材２８の差し込み片３０、３２が、各々、間仕切りパネル取付凹溝１２、１４に上下方向に摺動可能に嵌合する。この支柱固定具２２の取り付けは、円盤板状部材２４が支柱１０の上端面に当たる程度に、差し込み片３０、３２を間仕切りパネル取付凹溝１２、１４に深く差し込んだ状態になるまで行う。
【００３１】
次に、支柱１００を床面Ｆ上に立て、支柱１００の下端を床に固定する。この支柱１００の下端の床に対する固定は、固定金具を用いた周知の固定機構によって行われる。
【００３２】
この支柱下端の固定後に、支柱固定具２２の円盤板状部材２４の上面が天井面Ｒに接合するまで、支柱１０に対して支柱固定具２２を引き上げる。そして、ビス通し孔２６にビス５０を通し、ビス５０を天井にねじ込み、円盤板状部材２４を天井面Ｒにねじ止め固定する。
【００３３】
４個のビス通し孔２６のうちの２つは、間仕切りパネル取付凹溝１２、１４に対応する位置にあるので、このビス通し孔２６のビス５０のねじ止め作業は、シャンク長さが長いねじ回し工具を用いて、支柱１０に邪魔されることなく、作業性よく行うことができる。
【００３４】
次に、間仕切りパネル取付凹溝１２、１４に嵌り込んでいる差し込み片３０、３２に明けられているビス通し孔３６、３８にセルフタッピングねじ５２、５４を通し、セルフタッピングねじ５２、５４をねじ込む。セルフタッピングねじ５２、５４は、セルフタッピング作用によってねじ溝を刻みながら間仕切りパネル取付凹溝１２、１４の底部１６、１８を貫通し、底部１６、１８にねじ係合する。これにより、支柱１０の上端と天井面Ｒとの間隔のばらつきに拘わらず、支柱１０の上端が上下のがた付きを生じることなく、天井面Ｒに固定される。
【００３５】
すなわち、支柱固定具２２の円盤板状部材２４をビス５０によって天井面Ｒに固定し、支柱固定具２２と支柱１０との相対的な上下方向位置関係が決まった後に、その上下方向位置関係に規制されることなく、支柱固定具２２の差し込み片３０、３２と支柱１０とを任意の上下方向位置関係でねじ止め固定することができる。
【００３６】
最後に、間仕切りパネル取付凹溝１２、１４のうち、支柱１０だけが独立して存在する単独柱部分Ａに対応する部分に、カバー部材６０、６２を嵌め込み装着する。これにより、間仕切りパネル取付凹溝１２、１４に嵌っている支柱固定具２２の差し込み片３０、３２およびセルフタッピングねじ５２、５４の頭部が、カバー部材６０、６２によって隠蔽され、外部より見えなくなる。
【００３７】
このように、カバー部材６０、６２によって、間仕切りパネル取付凹溝１２、１４に嵌っている支柱固定具２２の差し込み片３０、３２およびセルフタッピングねじ５２、５４の頭部が隠蔽され、外部より見えなくなることにより、間仕切りパネル取付凹溝１２、１４にある支柱固定具２２の差し込み片３０、３２やセルフタッピングねじ５２、５４の頭部が、美観を損ねることはなく、美観の向上が図られる。
【００３８】
支柱１００は、アルミニウム合金製で、図５〜図７に示すように、前後左右の四面接続用のものであり、前後左右の各外側面に、立設状態で上下方向に延在する間仕切りパネル取付凹溝１０２、１０４、１０６、１０８を前後対称、左右対称に有し、中央部に横断面形状が正方形の中空部１１０を有し、横断面が井形正方形の長尺構造体をなしている。
【００３９】
支柱１００の間仕切りパネル取付凹溝１０４、１０６のうち、下部横フレーム２００と中間横フレーム２１０との間に位置する部分には、図７に示すように、パネル保持具２３８、２４０と嵌込桟部材２４２、２４４とが嵌め込み装着されている。パネル保持具２３８、２４０と嵌込桟部材２４２、２４４は、パネル２２０の左右縁部を挟み込み保持している。このようにして、支柱１００は、下部横フレーム２００と中間横フレーム２１０との間において、パネル２２０の左右縁部を接続され、パネル２２０を支持している。
【００４０】
支柱１００を天井に固定する固定構造１２０を、図５、図６を参照して説明する。固定構造１２０は、支柱固定具１２２を用いて支柱１００の上端部を天井面Ｒに固定する。支柱固定具１２２は、円盤板状部材１２４と、接続部材１２８とにより構成されている。本実施形態では、支柱固定具１２２は、全体が金属製で、円盤板状部材１２４と接続部材１２８とを溶接によって一体化したものにより構成されているが、全体をプラスチックの成形品としてもよい。
【００４１】
円盤板状部材１２４には、複数個、本実施形態では９０度等間隔で４個のビス通し孔１２６が貫通形成されている。円盤板状部材１２４は、その上面が天井面Ｒに接合する状態で、ビス通し孔１２６に通されたビス１５０によって、天井面Ｒにねじ止め固定されている。
【００４２】
円盤板状部材１２４の外径は、支柱１００の外寸（幅寸法）に等しい。これは、円盤板状部材１２４が、水平投影面（天井面Ｒと平行な投影面）で見て、支柱１００の上端面の外郭より外方にはみ出さない大きさに設定されていることを意味する。
【００４３】
接続部材１２８は、支柱１００の中空部１１０に嵌合する四角筒体により構成され、上端を溶接等によって円盤板状部材１２４の中央部に固定され、中空部１１０に上下移動可能、かつ側方移動不能として挿入されている。
【００４４】
接続部材１２８は、支柱１００の左右の間仕切りパネル取付凹溝１０６、１０８の底部１１２、１１４に貫通形成されたビス通し孔１１６、１１８に通されて接続部材１２８にねじ係合したセルフタッピングねじ１５２、１５４によって間仕切りパネル取付凹溝１０６、１０８の底部１１２、１１４にねじ止め固定されている。ビス通し孔１１６、１１８に通されたセルフタッピングねじ１５２、１５４は、セルフタッピング作用によって接続部材１２８を、ねじ溝を刻みながら貫通するから、接続部材１２８には下孔を設けない。
【００４５】
このように、円盤板状部材１２４を天井面Ｒにねじ止めされ、接続部材１２８を支柱１００にねじ止めされた支柱固定具１２２によって支柱１０の上端部を天井に固定するので、支柱１０の天井への固定強度を十分に高いものとすることができる。
【００４６】
間仕切りパネル取付凹溝１０４、１０６のうち、パネル２２０の接続がなく、支柱１００だけが独立して存在する単独柱部分Ａに対応する部分には、カバー部材１６０、１６２が嵌め込み装着されている。カバー部材１６０、１６２は、支柱１００と同じアルミニウム合金製あるいはプラスチック製のものであり、間仕切りパネル取付凹溝１０４、１０６を塞ぐコの字形の横断面形状をしており、間仕切りパネル取付凹溝１０４、１０６の溝側壁に対応する脚部外面に突条１６０Ａ、１６２Ａを有し、突条１６０Ａ、１６２Ａが間仕切りパネル取付凹溝１０４、１０６の各々の溝側壁に形成された係合溝１０４Ｂ、１０６Ｂに嵌り込むことにより、クリックストップ式に支柱１００に固定されている。
【００４７】
全体に亘ってパネル接続が行われない間仕切りパネル取付凹溝１０２、１０８には、全域（全長）に亘って、カバー部材１６４、１６６が嵌め込み装着されている。カバー部材１６４、１６６は、カバー部材１６０、１６２と同様に、支柱１００と同じアルミニウム合金製あるいはプラスチック製のものであり、間仕切りパネル取付凹溝１０２、１０８を塞ぐコの字形の横断面形状をしており、間仕切りパネル取付凹溝１０２、１０８の溝側壁に対応する脚部外面に突条１６４Ａ、１６６Ａを有し、突条１６４Ａ、１６６Ａが間仕切りパネル取付凹溝１０２、１０６の各々の溝側壁に形成された係合溝１０２Ｂ、１０８Ｂに嵌り込むことにより、クリックストップ式に支柱１００に固定されている。
【００４８】
カバー部材１６０、１６２、１６４、１６６は、上述の如く、支柱１００に取り付けられて間仕切りパネル取付凹溝１０２、１０４、１０６、１０８を、支柱１００の外面と同一面として埋め、これら間仕切りパネル取付凹溝１６０、１６２、１６４、１６６を外部より見えないものとしている。これにより、間仕切りパネル取付凹溝１０６、１０８の底部に存在するセルフタッピングねじ１５２、１５４の頭部は、カバー部材１６２、１６６によって隠蔽され、外部より見えないものなっている。
【００４９】
次に、支柱１００の施工手順について説明する。先ず、支柱１００の上端部に、支柱固定具１２２の接続部材１２８を支柱１００の上端より中空部１１０内に上下移動可能に挿入し、支柱１００の上端に支柱固定具１２２を組み付ける。この支柱固定具１２２の取り付けは、円盤板状部材１２４が支柱１００の上端面に当たる程度に、接続部材１２８を中空部１１０内に深く差し込んだ状態にする。
【００５０】
次に、支柱１００を床面Ｆ上に立て、支柱１００の下端を床に固定する。この支柱１００の下端の床に対する固定は、固定金具を用いた周知の固定機構によって行われる。
【００５１】
この支柱下端の固定後に、支柱固定具１２２の円盤板状部材１２４の上面が天井面Ｒに接合するまで、支柱１００に対して支柱固定具１２２を引き上げる。そして、ビス通し孔１２６にビス１５０を通し、ビス１５０を天井にねじ込み、円盤板状部材１２４を天井面Ｒにねじ止め固定する。
【００５２】
４個のビス通し孔１２６は、それぞれ、間仕切りパネル取付凹溝１０２、１０４、１０６、１０８に対応する位置にあるので、このビス通し孔１２６のビス１５０のねじ止め作業は、シャンク長さが長いねじ回し工具を用いて、支柱１００に邪魔されることなく、作業性よく行うことができる。
【００５３】
次に、支柱１００の間仕切りパネル取付凹溝１０６、１０８の底部１１２、１１４に明けられているビス通し孔１１６、１１８にセルフタッピングねじ１５２、１５４を通し、セルフタッピングねじ５５２、１５４をねじ込む。セルフタッピングねじ１５２、１５４は、セルフタッピング作用によってねじ溝を刻みながら支柱固定具１２２の接続部材１２８を貫通し、接続部材１２８にねじ係合する。これにより、支柱１００の上端と天井面Ｒとの間隔のばらつきに拘わらず、現場合わせで、支柱１００の上端が上下のがた付きを含むことなく天井面Ｒに固定される。
【００５４】
すなわち、支柱固定具１２２の円盤板状部材１２４をビス５０によって天井面Ｒに固定し、支柱固定具１２２と支柱１００との相対的な上下方向位置関係が決まった後に、その上下方向位置関係に規制されることなく支柱固定具１２２の接続部材１２８と支柱１００とを任意の上下方向位置関係でねじ止め固定することができる。
【００５５】
最後に、間仕切りパネル取付凹溝１０４、１０６のうち、支柱１００だけが独立して存在する単独柱部分Ａに対応する部分に、カバー部材１６０、１６２を嵌め込み装着する。また、間仕切りパネル取付凹溝１０２、１０８の全域に亘ってカバー部材１６４、１６６を嵌め込み装着する。
【００５６】
これにより、間仕切りパネル取付凹溝１０６、１０８内に存在するセルフタッピングねじ１５２、１５４の頭部が、カバー部材１６２、１６６によって隠蔽され、外部より見えなくなる。
【００５７】
このように、カバー部材１６２、１６６によって、間仕切りパネル取付凹溝１０６、１０８内に存在するセルフタッピングねじ１５２、１５４の頭部が隠蔽され、外部より見えなくなることにより、セルフタッピングねじ１５２、１５４の頭部が、美観を損ねることがなく、美観の向上が図られる。
【００５８】
また、支柱固定具１２２の円盤板状部材１２４の外径が支柱１００の外寸に等し、円盤板状部材１２４が、水平投影面（天井面Ｒと平行な投影面）で見て、支柱１００の上端面の外郭より外方にはみ出さない大きさに設定されているから、円盤板状部材１２４や、ビス１５０の頭部が、支柱１００によって見え難くなるか、或いは見えなくなる。このことによっても、美観の向上が図られる。
【図面の簡単な説明】
【００５９】
【図１】本発明による支柱固定構造を適用された間仕切り装置の一つの実施形態を示す斜視図である。
【図２】本発明による間仕切装置における支柱固定構造の一つの実施形態を示す半縦断面図である。
【図３】図２の線ＩＩＩ−ＩＩＩにおける断面図である。
【図４】図１の線ＩＶ−ＩＶにおける拡大断面図である。
【図５】本発明による間仕切装置における支柱固定構造の他の実施形態を示す半縦断面図である。
【図６】図５の線ＶＩ−ＶＩにおける断面図である。
【図７】図１の線ＶＩＩ−ＶＩＩにおける拡大断面図である。
【符号の説明】
【００６０】
１０  支柱
１２、１４  間仕切りパネル取付凹溝
１６、１８  底部
２０  固定構造
２２  支柱固定具
２４  円盤板状部材
２６  ビス通し孔
２８  接続部材
３０、３２  差し込み片
３４  上片部
３６、３８  ビス通し孔
５０  ビス
５２、５４  セルフタッピングねじ
６０、６２  カバー部材
１００  支柱
１０２、１０４、１０６、１０８  間仕切りパネル取付凹溝
１１０  中空部
１１２、１１４  底部
１１６、１１８  ビス通し孔
１５０  ビス
１５２、１５４  セルフタッピングねじ
１６０、１６２、１６４、１６６  カバー部材
２００  下部横フレーム
２１０  中間横フレーム
２２０  パネル
２３０、２３２  パネル保持具
２３４、２３６  嵌込桟部材
２３８、２４０  パネル保持具
２４２、２４４  嵌込桟部材
【図１】
2010106587.tif 000003
【図２】
2010106587.tif 000004
【図３】
2010106587.tif 000005
【図４】
2010106587.tif 000006
【図５】
2010106587.tif 000007
【図６】
2010106587.tif 000008
【図７】
2010106587.tif 000009